(57)【要約】【課題】天井扇本体の回転や揺動が生じにくくし、使用者に不安感を与えにくい天井扇を提供する。【解決手段】天井取付具１２に高圧空気発生部８を取り付ける高圧空気発生部取付手段１３を両方に備え、高圧空気発生部取付手段１３は、高圧空気発生部８を天井取付具１２に対しモータ７の回転方向と逆方向に回転させて取り付けるものであり、天井取付具１２に対してモータ７の回転方向と逆方向に回転させて取付ける構成としたため、高圧空気発生部８に対してモータ７からの反力がかかっても、天井取付具１２と高圧空気発生部８とが強くかみ合って固定されるようになるので、天井扇本体の回転や揺動が生じにくく、使用者に不安感を与えにくい天井扇を提供できる。【選択図】図３
2012041834.tif 000002
【特許請求の範囲】
【請求項１】
箱体に空気を取り入れる吸込み口と、
高圧空気を発生するための羽根車と、
羽根車を駆動するためのモータで構成された高圧空気発生手段と、
が設けられた高圧空気発生部と、
高圧空気を気流として吹出す吹出し口を有する気流吹出し部と、
前記高圧空気発生部と前記気流吹出し部を連通する連結ダクトとを備え、
前記気流吹出し部が環形状であり、
前記高圧空気発生部が天井取付具を介して天井に取り付けられる天井扇であって、
前記天井取付具に前記高圧空気発生部を取り付ける高圧空気発生部取付手段を前記天井取付具と前記高圧空気発生部の両方に備え、
前記高圧空気発生部取付手段により、前記高圧空気発生部を前記天井取付具に対し前記モータの回転方向と逆方向に回転させて取り付け可能となることを特徴とする天井扇。
【請求項２】
高圧空気発生部取付手段は、
天井取付具に設けられた高圧空気発生部を支持する支持部と、
前記支持部に形成された突起部と、
前記高圧空気発生部に形成されたガイド溝と、
によって構成されることを特徴とする請求項１記載の天井扇。
【請求項３】
高圧空気発生部取付手段は、
天井取付具に設けられた高圧空気発生部を支持する支持部と、
前記支持部に形成されたガイド溝と、
前記高圧空気発生部に形成された突起部と、
によって構成されることを特徴とする請求項１記載の天井扇。
【請求項４】
突起部に凹部が形成され、ガイド溝に前記凹部に対応する凸部を有することを特徴とする請求項２または３に記載の天井扇。
【請求項５】
突起部に凸部が形成され、ガイド溝に前記凸部に対応する凹部を有することを特徴とする請求項２または３に記載の天井扇。
【請求項６】
凸部はばね部材によって構成されていることを特徴とする請求項４または５に記載の天井扇。
【請求項７】
高圧空気発生部取付手段は、高圧空気発生部と天井取付具とがねじ機構で係止されるものであることを特徴とする請求項１記載の天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
従来、この種の天井扇は、天井に取付ける取付金具が天井扇の送風機本体を帯状に覆うように形成され、この取付け金具によって送風機本体を抱え込むようにして天井から吊り下げる構成としたものが知られている（例えば、特許文献１参照）。
【０００３】
以下、その天井扇について図７を参照しながら説明する。図７（ａ）は従来の天井扇の構成を表す概略断面図、図７（ｂ）は従来の天井扇の循環送風機と天井取付金具との取付方法を表す概略斜視図である。
【０００４】
図７（ａ）に示すように、天井扇本体１０１は循環送風機１０２を天井に取付けるための天井取付金具１０３によって循環送風機１０２下部に設けられた送風モータ１０４が固定されたモータ取付金具１０５を抱え込むように支持する構成となっている。図７（ｂ）に示すように、モータ取付金具１０５と天井取付金具１０３は固定されず、モータ取付金具１０５が天井取付金具１０３に載っている状態となっている。
【０００５】
次にその動作について説明する。送風モータ１０４の駆動により循環送風機１０２に吸い込まれた空気は、循環送風機１０２の側面に設けられた吹出口１０６から吹出される。このとき、天井取付金具１０３と循環送風機１０２が固定されていないため、循環送風機１０２を回転させることにより空気の吹出し方向を変更することができる。
【先行技術文献】
【特許文献】
【０００６】
【特許文献１】特開２００２−１３０１８６号公報
【発明の概要】
【発明が解決しようとする課題】
【０００７】
一般に送風機により高圧空気を発生するためには羽根車を高速回転させる必要があり、高速回転を行うためにトルクが大きなモータを使用する必要がある。したがって、運転を開始したり回転数を変更させるなどモータの発生トルクを変更した際にはモータからの大きな反力が天井扇本体にかかることになる。
【０００８】
従来例に示す構成では、送風機が天井取付金具に固定されていない構成であるため、上記したような場合にはその反力によって天井扇本体の回転や揺動が起こりやすく、使用者に不安感を与えやすいものであった。
【０００９】
そこで本発明は、上記従来の課題を解決するものであり、モータの発生トルクの変更時にも天井扇本体の回転や揺動が生じにくくし、使用者に不安感を与えにくい天井扇を提供することを目的とするものである。
【課題を解決するための手段】
【００１０】
そして、この目的を達成するために、本発明は、天井取付具と高圧空気発生部とを係止する高圧空気発生部取付手段を備え、高圧空気発生部取付手段は、高圧空気発生部をモータの回転方向と逆方向に回転させて係止することを特徴とするものであり、これにより所期の目的を達成するものである。
【発明の効果】
【００１１】
本発明によれば、モータの発生トルクの変更時にも天井扇本体の回転や揺動が生じにくく、使用者に不安感を与えにくい天井扇を提供できるという効果を得ることができる。
【図面の簡単な説明】
【００１２】
【図１】本発明における天井扇本体を天井に取付けた状態を表す概略斜視図
【図２】本発明の実施の形態１における天井扇の内部構成を表す概略断面図
【図３】（ａ）同高圧空気発生部の羽根車の回転方向を表す概略斜視図、（ｂ）同高圧空気発生部取付手段による取付動作を表す概略斜視図
【図４】（ａ）同高圧空気発生部取付手段のガイド溝と突起部との取付状態を表す概略断面図、（ｂ）同高圧空気発生部取付手段のガイド溝と突起部との他の取付状態を表す概略断面図
【図５】（ａ）同高圧空気発生部取付手段の凸部と凹部の合致状態を表す概略断面図、（ｂ）同高圧空気発生部取付手段の凸部と凹部の他の合致状態を表す概略断面図
【図６】本発明の実施の形態２における天井扇の概略断面図
【図７】従来の天井扇の構成を表す概略断面図
【発明を実施するための形態】
【００１３】
本発明の請求項１記載の天井扇は、箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、高圧空気発生部と気流吹出し部を連通する連結ダクトとを備え、気流吹出し部が環形状であり、高圧空気発生部が天井取付具を介して天井に取り付けられる天井扇であって、天井取付具に高圧空気発生部を取り付ける高圧空気発生部取付手段を天井取付具と高圧空気発生部の両方に備え、この高圧空気発生部取付手段により、高圧空気発生部を天井取付具に対しモータの回転方向と逆方向に回転させて取り付け可能となるものである。
【００１４】
一般に高圧空気を発生するためにはターボファンやシロッコファンなどの遠心型の羽根車を用いる。これらの羽根車はモータにより、羽根車に形成されたブレードの形状によって決められた単一の方向に回転することにより、高圧空気を発生させることができる。これらの羽根車を使用した場合、モータの回転方向は使用する羽根車のブレードの形状によって単一方向に決まるため、モータの始動時や回転数の変更時に発生するトルクによって高圧空気発生部に対してモータの回転方向と逆の方向にかかる反力の向きは、単一の方向となる。
【００１５】
ここで、本発明における天井扇は、高圧空気発生部取付手段によって高圧空気発生部を天井取付具に対してモータの回転方向と逆方向に回転させて取付ける構成としたため、高圧空気発生部に対してモータからの反力がかかっても、その反力の向きは取付方向と同一方向となる。
【００１６】
これにより、天井取付具と高圧空気発生部とが強くかみ合って固定されることとなるため、モータの始動時や回転数の変更時に天井扇本体の回転や揺動が生じにくく、使用者に不安感を与えにくい天井扇を提供できるという効果を奏する。
【００１７】
また、高圧空気発生部取付手段は、天井取付具に設けられた高圧空気発生部を支持する支持部と、支持部に形成された突起部と、高圧空気発生部に形成されたガイド溝と、によって構成されるものであってもよい。これにより、支持部により高圧空気発生部の重量を支えて落下しないようにしつつ、突起部をガイド溝に合致させ、突起部をガイド溝に沿わせながら高圧空気発生部を回転させることができるので取付作業がしやすく、また、突起部とガイド溝との接触部分が多くなるのでガタツキが抑えられ、天井扇本体の揺動がさらに生じにくくなるという効果を奏する。
【００１８】
また、高圧空気発生部取付手段は、天井取付具に設けられた高圧空気発生部を支持する支持部と、支持部に形成されたガイド溝と、高圧空気発生部に形成された突起部と、によって構成されるものであってもよい。これにより、支持部により高圧空気発生部の重量を支えて落下しないようにしつつ、突起部をガイド溝に合致させ、突起部をガイド溝に沿わせながら高圧空気発生部を回転させることができるので取付作業がしやすく、また、突起部とガイド溝との接触部分が多くなるのでガタツキが抑えられ、天井扇本体の揺動がさらに生じにくくなるという効果を奏する。
【００１９】
また、突起部に凹部が形成され、ガイド溝に前記凹部に対応する凸部を有する構成にしてもよい。これにより、取付け時に引っかかり感が生じるので、確実に取り付けられていることを施工者に知らせることができるので、天井への取付作業がしやすいという効果を奏する。
【００２０】
また、突起部に凸部が形成され、ガイド溝に前記凸部に対応する凹部を有する構成としてもよい。これにより、取付け時に引っかかり感が生じるので、確実に取り付けられていることを施工者に知らせることができるので、天井への取付作業がしやすいという効果を奏する。
【００２１】
また、凸部をばね部材によって構成してもよい。これにより、引っかかり感を与えるとともに、互いをより強くかみ合わせて固定することができるので、天井扇本体の回転や揺動がさらに生じにくくなるという効果を奏する。
【００２２】
また、高圧空気発生部取付手段は、高圧空気発生部と天井取付具とがねじ機構で係止される構成としてもよい。これにより、モータトルクの反力によりねじが締まる方向へ力が加えられ、また、ねじ山同士が接触するため上下方向の動きが制限されるので、天井扇本体の揺動がさらに生じにくくなり、また、ねじ加工は比較的安価なので低コスト化できるという効果を奏する。
【００２３】
以下、本発明の実施の形態について図面を参照しながら説明する。なお、以下に示すものは本発明における実施の形態の一例にすぎず、同等の作用効果をなすものであればこれに限られたものではない。
【００２４】
（実施の形態１）
まず、実施の形態１について図１〜５を参照しながら説明する。図１に本発明における天井扇本体を天井に取付けた状態を表す概略斜視図、図２に本発明の実施の形態１における天井扇の内部構成を表す概略断面図、図３（ａ）に同実施の形態における高圧空気発生部の羽根車の回転方向を表す概略斜視図、図３（ｂ）に同実施の形態における高圧空気発生部取付手段による天井取付具と高圧空気発生部との取付動作を表す概略斜視図、図４に同実施の形態における高圧空気発生部取付手段のガイド溝と突起部との取付状態を表す概略断面図、図５に同実施の形態における高圧空気発生部取付手段の凸部と凹部の合致状態を表す概略断面図を示す。
【００２５】
図１に示すように、本実施の形態における天井扇本体１はリビングや寝室等の居室の天井２にとりつけられており、天井扇本体１の下部には市販の照明器具３がとりつけられている。
【００２６】
天井扇本体１は、図２に示すように、略円筒状の箱体４に空気を取り入れる吸込み口５と、高圧空気を発生するための羽根車６と羽根車６を駆動するためのモータ７で構成された高圧空気発生手段とが設けられた高圧空気発生部８と、高圧空気を気流として吹出す吹出し口９を有する気流吹出し部１０と、高圧空気発生部８と気流吹出し部１０を連通する連結ダクト１１とを備え、気流吹出し部１０  が環形状であり、高圧空気発生部８を天井取付具１２を介して天井に取り付けられる構成である。
【００２７】
また、天井扇本体１には天井取付具１２に高圧空気発生部８を取付ける高圧空気発生部取付手段１３が備えられており、この高圧空気発生部取付手段１３は、高圧空気発生部８をモータ７の回転方向と逆方向に回転させて取付けるものである。この天井取付具１２は、例えばステンレスやアルミニウム等の金属からなるものであり、天井２とネジ等によって固定されているか、もしくは、照明部材を取付けるために天井２に備えられた図示しない引掛けシーリングに取り付けられている。
【００２８】
図３（ａ）に示すように、天井取付具１２に高圧空気発生部８が落下しないように支持するための支持部１４がは略Ｌ字状に複数個形成されている。一方、高圧空気発生部８の箱体４の上部に円環板状の鍔部１５が形成されており、その一部には支持部１４を上下方向に通過させるための切欠き部１６が形成されている。
【００２９】
また、図３（ｂ）に示すように、高圧空気発生手段として箱体４内に備えられた羽根車６は、本実施の形態では例として鉛直上方からみて反時計周りを回転方向（破線矢符１７）とするターボファンを用いている。そして、図３（ａ）に戻るが、天井取付具１２に高圧空気発生部８と取付けるときには、天井に取り付けられた天井取付具１２の支持部１４に対し箱体４の切欠き部１６を合致させて、天井取付具１２の下面１８に鍔部１５の上面を当て、モータ７の回転方向すなわち羽根車６の回転方向とは逆方向となる鉛直上方からみて時計回りの方向（破線矢符１９）に高圧空気発生部８を回転させる。
【００３０】
このとき、図４（ａ）に示すように、支持部１４に形成された突起部２０と、高圧空気発生部８に形成された略円弧状のガイド溝２１とを合致させて高圧空気発生部８を回転させる、このとき、突起部２０をガイド溝２１に沿わせながら回転させることができるので、取付作業がしやすくなっている。
【００３１】
また、突起部２０の頂部には、図５（ａ）に示すように凹部２２が設けられており、一方、ガイド溝２１にはこの凹部２２に対応して合致する凸部２３が設けられている。この凹部２２と凸部２３は、高圧空気発生部８を回転させて突起部２０とガイド溝２１の末端部２４が接触したときにちょうど合致するように配置されている。また、凸部２３は、弾性体部材、例えば、樹脂や金属等によって形成されたばね部材によって構成されている。ばね部材の弾性力によって凸部２３が変形し、凸部２３が突起部２０の頂部２５と接触しつつ回転し、凸部２３と凹部２２とが合致して強く固定され、また、取付時に引っかかり感が生じるので確実に取り付けられていることを使用者に知らせることができる。
【００３２】
次に、本発明の実施の形態１における天井扇の動作について説明する。
【００３３】
モータ７が駆動して羽根車６を回転させることで、高圧空気発生部８によって吸込み口５から吸い込まれた空気が昇圧されて、吹出し口９から高圧空気を高速噴流に変換して空間に放出される。吹出し口９から噴出される高速噴流が気流吹出し部１０の壁面に沿って空気が流れると付着噴流の誘引効果により周辺の空気が空気の粘性によって巻き込まれて多くの風量が天井から離れた箇所で流れる。
【００３４】
ここで、モータ７の始動時や回転数の変更時に、モータ７から発生するトルクによって、図３（ｂ）に示すように、高圧空気発生部８に対してモータ７の回転方向と逆の方向（実線矢符２６）に反力がかかる。このとき、上記した高圧空気発生部取付手段１３によって、天井取付具１２の突起部２０  が高圧空気発生部８のガイド溝２１の末端部２４  に押し付けられるように力が加わるので、突起部２０とガイド溝２１とが強くかみ合って固定される。さらに、突起部２０とガイド溝２１が接触してガタツキを抑える。さらに、  凸部２３としてのばね部材と凹部２２が強くかみ合って固定される。上記の作用により、天井扇本体１の回転や揺動が生じにくくなる。
【００３５】
なお、突起部２０とガイド溝２１は互いに入れ替えて設けてもよい、すなわち、図４（ｂ）に示すように天井取付具１２にガイド溝２１を、高圧空気発生部８に突起部２０を設けても同様の作用効果を奏する。
【００３６】
なお、凸部２３と凹部２２は互いに入れ替えて設けてもよい、すなわち、図５（ｂ）に示すように高圧空気発生部８のガイド溝２１に凹部２２を、天井取付具１２の突起部２０に凸部２３を設けても同様の作用効果を奏する。
【００３７】
以上述べたようにして、本発明の実施の形態１における天井扇は、モータの始動時や回転数の変更時にも天井扇本体の回転や揺動が生じにくく、使用者に不安感を与えにくい天井扇を提供できるという効果を得ることができるものである。
【００３８】
（実施の形態２）
本発明における実施の形態２について、図６を参照しながら説明する。なお、実施の形態１と同様の構成要素については同一の符号を付し、その詳細な説明は省略する。図６（ａ）は本発明の実施の形態２における天井扇の概略断面図、図６（ｂ）は同実施の形態における高圧空気発生部取付手段の構成を表す概略斜視図である。
【００３９】
図６（ａ）および図６（ｂ）に示すように、高圧空気発生部８の箱体４の上端部には、雄ねじまたは雌ねじが形成されたねじ部２７が設けられている。一方、天井取付具１２には上記のねじ部２７に対応するねじ部２８が設けられている。これらのねじ部２７、２８は、モータの回転方向と逆方向に高圧空気発生部８を回転させることによって締め付けられる向きでねじ切りがなされている。このねじ部２７、２８を合致させて高圧空気発生部８を天井取付具１２に取付けることにより、ねじ締めのストロークが長いので容易に天井扇本体が落下しにくく、またねじ山同士の接触により上下方向の動きが制限され揺動しにくくなる。また、ねじ加工は安価なので低コスト化できる。
【００４０】
次に、本発明の実施の形態２における天井扇の動作について説明する。実施の形態１の場合と同様、高圧空気発生部８にはモータからの反力がかかる。このとき、高圧空気発生部８と天井取付具１２はモータの回転方向と逆方向に回転させて取付ける構成となっているので、この反力によりさらに互いが締め付けられる方向に力が働くため、天井扇本体の揺動が生じにくくなる。
【００４１】
以上述べたようにして、本発明の実施の形態２における天井扇は、モータの始動時や回転数の変更時にも天井扇本体の回転や揺動が生じにくく、使用者に不安感を与えにくい天井扇を提供できるという効果を得ることができるものである。
【産業上の利用可能性】
【００４２】
本発明にかかる天井扇は、モータの発生トルクの変更時にも天井扇本体の回転や揺動が生じにくくし、使用者に不安感を与えにくい天井扇を提供するものであるので、住宅用の室内空気の撹拌を目的に使用される各種送風機器等として有用である。
【符号の説明】
【００４３】
１    天井扇本体
５    吸込み口
６    羽根車
７    モータ
８    高圧空気発生部
９    吹出し口
１０  気流吹出し部
１１  連結ダクト
１２  天井取付具
１３  高圧空気発生部取付手段
１４  支持部
２０  突起部
２１  ガイド溝
２２  凹部
２３  凸部
【図１】
2012041834.tif 000003
【図２】
2012041834.tif 000004
【図３】
2012041834.tif 000005
【図４】
2012041834.tif 000006
【図５】
2012041834.tif 000007
【図６】
2012041834.tif 000008
【図７】
2012041834.tif 000009